(57)【要約】【課題】遊技機間にエアカーテンを形成する構成において、エアカーテン形成用の空気流が遊技者に直接吹き付けられてしまうことを防止できる台毎情報表示装置を提供する【解決手段】遊技機間に設置された台毎情報表示装置５には、装置本体６から前方に突出した表示部１４を有した表示ユニット１５が旋回可能に設けられている。装置本体６内にはシロッコファン２２が設けられており、このシロッコファン２２からの送風が表示ユニット１５の外周部に設けられた噴射口３２ないし３４から噴射されて遊技機間にエアカーテンが形成される。従って、遊技者に近接した位置からエアカーテンを形成することができるので、噴射口３２ないし３４から噴出する空気の送風量を抑制でき、遊技者に煙草の煙が直接吹き付けられてしまうことを防止できる。【選択図】図１
2007175367.tif 000002
【特許請求の範囲】
【請求項１】
遊技機間に設けられる台毎情報表示装置であって、
装置本体から前方に突出して設けられ、表示部を有した表示ユニットと、
前記装置本体に対応して設けられた送風手段と、
前記表示ユニットに設けられ、前記送風手段による空気が通過する通風路と、
前記表示ユニットの前記表示部の外方に設けられ、前記通風路を通過する空気により隣接する前記遊技機との間にエアカーテンを形成する通風口とを備えたことを特徴とする台毎情報表示装置。
【請求項２】
前記表示ユニットは、前記装置本体に対して横方向に旋回可能に設けられ、
前記通風口は、前記エアカーテンの形成方向を横方向に旋回可能に設けられ、
前記表示ユニットの横方向への旋回に応じて前記通風口によるエアカーテンの形成方向調整する調整手段を備えたことを特徴とする請求項１記載の台毎情報表示装置。
【請求項３】
前記通風路と前記通風口との間の空気を流れやすくする整流手段を備えたことを特徴とする請求項１または２記載の台毎情報表示装置。
【請求項４】
前記通風口は、前記表示ユニットの外周部の全てに設けられていることを特徴とする請求項１ないし３の何れかに記載の台毎情報表示装置。
【発明の詳細な説明】
【技術分野】
【０００１】
本発明は、装置本体から前方に突出した表示部を備えた台毎情報表示装置に関する。
【背景技術】
【０００２】
遊技店では遊技者が隣り合って遊技を行うことから、遊技者が喫煙すると、隣の遊技者に対し、その伏流煙等が流れて不快な思いをさせることがある。この様な問題を解決するために、特許文献１では遊技機間に空気清浄装置を設ける提案がされている。このものは、隣接するパチンコ機の間に設置された装置から、モータによって回転するシロッコファンを作動させることによって、遊技機間にエアカーテンを形成するようにしている。
【特許文献１】特開平１０−１５２２０号公報
【発明の開示】
【発明が解決しようとする課題】
【０００３】
しかしながら、特許文献１のものでは、遊技島の前面に空気噴射口が設けられていることから、エアカーテンの起点が遊技者から離れており、遊技者間にエアカーテンを適切に形成するには、空気噴射口から噴射する空気の送風量を多くしなければならない。このため、エアカーテン形成用の空気流が遊技者の手前で広がってしまい、遊技者が吸った煙草の煙が自分に吹き付けられてしまって、遊技者が不快感を覚える虞があった。
【０００４】
本発明は上記事情に鑑みてなされたもので、その目的は、遊技機間にエアカーテンを形成する構成において、エアカーテン形成用の空気流が遊技者に吹き付けられてしまうことを防止できる台毎情報表示装置を提供することにある。
【課題を解決するための手段】
【０００５】
請求項１の発明によれば、遊技機間に設置された装置本体から前方に突出して設けられた表示ユニットの外周部を起点としてエアカーテンを形成するようにしたので、遊技者に近接した位置からエアカーテンを形成することができる。従って、エアカーテンを形成する通風口が遊技島の前面に設けられている構成に比較して、遊技機間にエアカーテンを適切に形成しながら、エアカーテン形成用の空気の送風量を軽減でき、エアカーテン形成用の空気が遊技者に直接吹き付けられてしまうことを防止できる。
【０００６】
請求項２の発明によれば、遊技者の好みに応じて表示部の横方向の旋回角度が変更されるにしても、通風口によるエアカーテンの形成方向が調整されるので、表示ユニットの横方向への旋回角度に関係なく、遊技機間にエアカーテンを適切に形成できる。
【０００７】
請求項３の発明によれば、通風路と通風口とが平行であるにしても、整流手段により通風口を通過する空気流を効果的に形成することができる。
請求項４の発明によれば、表示部の外周部の異なる全ての端部に通風口を設けるようにしたので、遊技機間の広範囲にわたってエアカーテンを形成することができる。
【発明を実施するための最良の形態】
【０００８】
以下、本発明の実施例について図面を参照して説明する。
図２には、本実施例のシステム構成の全体が概略的に示されている。この図２において、管理装置１は、店舗内ネットワーク２に接続され、この店舗内ネットワーク２には、複数の遊技機３が遊技機端末として機能する呼出ランプユニット４を介して接続されていると共に複数の台毎情報表示装置５が接続されている。
【０００９】
図３は、台毎情報表示装置５の斜視図である。この図３において、台毎情報表示装置５の装置本体６の上部には遊技時に貨幣を挿入する貨幣挿入口７が設けられており、その下方には貨幣の返却時に使用する返却ボタン８が設けられている。装置本体６の下部には、貨幣返却時に貨幣が排出される返却用貨幣排出口９が設けられ、その下方には会員カード挿入口１０が設けられている。返却用貨幣排出口９の上方には遊技媒体供給用のノズル１１が横方向へ旋回可能に設けられており、その基端部の上面には会員カードを使用して再度遊技する際に、貸玉を貸し出すための再プレイ用払出ボタン１２が設けられている。
【００１０】
装置本体６において返却ボタン８と再プレイ用払出ボタン１２の間には、取付ユニット１３が取付けられており、その取付ユニット１３に、表示部１４を有した表示ユニット１５が横方向へ旋回可能に設けられている。この表示ユニット１５は、遊技機３の出玉履歴や現在の状況を遊技者の操作に応じて表示するものである。
【００１１】
図１には、台毎情報表示装置５の内部構成を表す模式図が示されている。台毎情報表示装置５の内部における下部には電源基板１６が設けられ、その上方に、会員カード挿入口１０から挿入された会員カードの情報を読み取るためのカード処理ユニット１７が設けられている。会員カード情報がカード処理ユニット１７で読み取られた状態で、再プレイ用払出ボタン１２が操作されたときは、貯玉数の範囲内で所定数の貸玉が玉補給通路１８からノズル１１を通過して遊技機３に供給される。貨幣挿入口７に貨幣が投入された状態で、図示しない玉貸ボタンが押されたときは、貨幣識別装置１９から島側貨幣排出通路２０を通過して背面より排出される。この際に、貨幣識別装置１９で貨幣通過が識別されると、玉補給通路１８より玉が補給されてノズル１１より排出される。
【００１２】
上述した表示ユニット１５、カード処理ユニット１７、貨幣識別装置１９は、メイン制御基板２１で制御されるようになっている。
装置本体６内には、取付ユニット１３の上下部に対応してシロッコファン（送風手段に相当）２２が配置されている。このシロッコファン２２は、電源基板１６の給電状態で駆動される。
【００１３】
図４は、取付ユニット１３の斜視図である。この図４において、取付ユニット１３の前面部１３ａは凸状に湾曲形成されており、その上下部には陥没形状の第１装着部２３及び第２装着部２４がそれぞれ形成されている。第１装着部２３の上面には下向きの第１支持部２３ａが突出形成され、第２装着部２４の下面には上向きの第２支持部２４ａが突出形成されている。第１装着部２３及び第２装着部２４の奥壁には、シロッコファン２２からの通風口２５が形成されている。
【００１４】
一方、図５は、表示ユニット１５の基端部を示している。この図５において、表示ユニット１５の背面部１５ａの表面は凹状に湾曲形成されており、その背面部１５ａの上下部には孔２６ａを有した第１被支持部２６及び孔２７ａを有した第２被支持部２７がそれぞれ突出形成されている。表示ユニット１５の基端部の上下部において通風口２５に対応した部位には、背面部１５ａと面一となるように側方に突出した湾曲状の張出部２８が一体に形成されている。
【００１５】
表示ユニット１５における第１被支持部２６の孔２６ａには取付ユニット１３の第１支持部２３ａが挿入され、第２被支持部２７の孔２７ａには第２支持部２４ａが挿入されており、このような構成により、表示ユニット１５が取付ユニット１３に対して横方向に所定角度（例えば６０°）の範囲内で旋回可能に装着されている。このような構成は、取付ユニット１３を上下に２分割可能とすることにより実施されている。
【００１６】
図１に戻って、表示ユニット１５には表示部１４の外周を囲繞するように通風路が形成されている。つまり、表示部１４の上方側には上部通風路２９が水平方向に形成され、下方側には下部通風路３０が水平方向に形成され、前方側には前部通風路３１が垂直方向に形成されており、上部通風路２９及び下部通風路３０の端部が前部通風路３１の上下端部にそれぞれ連結されている。
【００１７】
表示ユニット１５の外周部において上部通風路２９に対応した部位には上部噴射口（通風口に相当）３２が形成され、下部通風路３０に対応した部位には下部噴射口（通風口に相当）３３が形成され、前部通風路３１に対応した部位には前部噴射口（通風口に相当）３４が形成されている。この場合、前部通風路３１と前部噴射口３４はユニット（以下、前部噴射ユニットと称する）として構成されている。
【００１８】
図６は、前部噴射ユニットを示す斜視図である。この図６に示すように、前部噴射ユニット３５は図示上下方向に長尺な筒形状をなしており、内部に前部通風路３１が形成されていると共に、その前部通風路３１の前面にスリット形状の前部噴射口３４が形成されている。前部噴射ユニット３５の上下端部には円柱状の被支持部３６が形成されており、その被支持部３６に形成された孔部３６ａが内部の前部通風路３１と連通している。前部噴射ユニット３５が被支持部３６により表示ユニット１５に旋回可能に装着された形態では、表示ユニット１５の上部通風路２９及び下部通風路３０と前部噴射ユニット３５の前部通風路３１とが連通しており、シロッコファン２２の駆動状態では、表示ユニット１５の上部通風路２９及び下部通風路３０並びに前部通風路３１に送風されるようになっている。この場合、表示ユニット１５の横方向の旋回角度が取付ユニット１３に対して変化するにしても、表示ユニット１５の基端部１５ａに設けられた張出部２８によりシロッコファン２２からの送風路と表示ユニット１５の通風路との連通状態を維持することができる。
【００１９】
ここで、上部通風路２９及び下部通風路３０の底面には図７に示すように鋸歯形状の傾斜面部（整流手段に相当）３７が設けられており、その傾斜面部３７により上部通風路２９及び下部通風路３０を通過する空気が上部噴射口３２及び下部噴射口３３に向かうように整流している。これは、上部噴射口３２及び下部噴射口３３からの送風量は前部噴射口３４からの送風量よりも小さいことから、上部噴射口３２及び下部噴射口３３からの送風量を高めるために設けられている。
【００２０】
また、前部噴射ユニット３５は、台毎情報表示装置５に対する表示ユニット１５の横方向の旋回に応じて表示ユニット１５に対する旋回角度が自動的に調整されるようになっている。つまり、前部噴射ユニット３５は、図示しない調整手段として機能する平行リンク機構を介して取付ユニット１３に装着されており、図８に示すように表示ユニット１５の横方向の旋回角度にかかわらず前部噴射口３４が遊技機３の正面方向を常に指向するようになっている。
【００２１】
次に、上記構成の作用について説明する。
台毎情報表示装置５に電源を投入すると、シロッコファン２２が駆動される。シロッコファン２２が駆動されると、表示ユニット１５の上部通風路２９、下部通風路３０、前部通風路３１に送風されるので、各通風路２９ないし３１に対応して設けられた上部噴射口３２、下部噴射口３３、前部噴射口３４から空気が送風される。これにより、表示ユニット１５の外周方向に送風されるようになるので、遊技機３間にエアカーテンが形成されるようになる。このとき、前部噴射口３４は遊技機３の正面方向を常に指向しているので、表示ユニット１５の横方向の旋回角度にかかわらず表示ユニット１５の前方に形成されるエアカーテンは、隣接する遊技機３間を分断するように適切に形成される。
【００２２】
さて、遊技者が煙草を吸うと、煙草から煙が発生するものの、その煙が遊技機３間に形成されたエアカーテンにより遮断されるので、煙草の煙が隣の遊技機３側に進入することはない。従って、隣で遊技している遊技者が隣から進入する煙草の煙で遊技に集中できないということを防止できる。
【００２３】
図９は、本発明（同図（ａ））と従来（同図（ｂ））との構成によるエアカーテンの形成の違いを概略的に示している。この図９に示すように、本発明では、遊技機３間を分断するように形成されるエアカーテンを、従来よりも遊技者に近い位置を起点として形成することができるので、エアカーテン形成用の送風量を低減することができ、エアカーテンが遊技者の手前で広がってしまうことを防止できる。
【００２４】
このような実施例によれば、台毎情報表示装置５の表示ユニット１５の外周から送風することにより遊技者により近い位置で遊技機３間にエアカーテンを形成するようにしたので、エアカーテン形成用の送風量を抑制することができ、遊技者の前方でエアカーテンが横方向に拡がってしまうことなくエアカーテンを適切に形成することができる。従って、遊技者が煙草を吸っている場合は、遊技者に煙草の煙が直接吹き付けられてしまうことを防止できる。
【００２５】
しかも、表示ユニット１５に設けた前部噴射ユニット３５の噴射口を、平行リンク機構により表示ユニット１５の旋回角度に関係なく遊技機３の正面方向を常に指向するようにしたので、煙草の煙が隣の遊技者側に流れ込むことを防止できるエアカーテンを効果的に形成することができる。
【００２６】
また、表示ユニット１５における上部通風路２９及び下部通風路３０に傾斜面部３７を設けるようにしたので、上部通風路２９及び下部通風路３０を通じて上部噴射口３２及び下部噴射口３３から空気を効果的に噴射することができる。
また、このように上部噴射口３２及び下部噴射口３３から空気を効果的に噴射できる結果、表示ユニット１５の外周全体にわたって遊技機３間にエアカーテンを適切に形成することができる。
【００２７】
尚、前部噴射ユニット３５の前部噴射口３４によるエアカーテンの形成方向を遊技機３の正面方向とする必要はなく、略正面方向であれば本発明の効果を達成することができるのは当然である。
【００２８】
本発明は、上記した実施形態のみに限定されるものではなく、以下のように変形または拡張することができる。
台毎情報表示装置５のノズル１１や貨幣挿入口７或いは会員カード挿入口１０等は適宜設ければ良い。
噴射口３２ないし３４に、風量の調整機能や、噴射の遮断機能を加えても良い。
前部噴射ユニット３５の旋回角度と表示ユニット１５の旋回角度とを連動させる構成としては、実施例の平行リンク機構に限定されず、チェーンやタイミングベルトで連動させるものでも良く、また、制御基板を別途設けて電子制御で連動させる構成にしても良いし、ルーバーにより空気の吹出方向を調整するようにしても良い。
【００２９】
表示ユニット１５の外周部の全て（上下及び前方の３箇所）に噴射口を配置したが、いずれか１箇所、或いは２箇所に設ける構成としても良い。
噴射口の配置は、表示ユニット１５の上下及び前方に配置する構成に限定されず、表示ユニット１５の上部のみに噴射口を設け、送風を下方にも送り出す構成でも、表示ユニット１５の下部のみに噴射口を設け、送風を上方にも送り出す構成としても良い。
【００３０】
送風手段としてシロッコファンを利用した構成としたが、実施例に限定されるものではなく他のどのような送風手段にしても良い。
シロッコファン２２により空気を噴射する構造に限定されず、空気を吸引する構造としても良い。
【００３１】
シロッコファン２２を駆動する条件としては、電源ＯＮ以外の条件（例えば会員カードの挿入、所定の操作、或いは所定の遊技状態等）で駆動するようにしてもよい。
シロッコファン２２に代えて、台毎情報表示装置５と独立に送風手段を設け、その送風手段から表示ユニット１５に送風するようにしても良い。
【図面の簡単な説明】
【００３２】
【図１】本発明の一実施例における台毎情報表示装置の内部構成を模式的に示す図
【図２】システム全体の構成を示す図
【図３】台毎情報表示装置の斜視図
【図４】取付ユニットの斜視図
【図５】表示ユニットの基端部を示す斜視図
【図６】前部噴射ユニットの斜視図
【図７】表示ユニットの通風路の傾斜面部を示す断面図
【図８】表示ユニットの前部噴射口からの送風方向を示す図
【図９】本発明と従来構成とを比較した概念図
【符号の説明】
【００３３】
図面中、１は管理装置、３は遊技機、５は台毎情報表示装置、６は装置本体、１３は取付ユニット、１４は表示部、１５は表示ユニット、２２はシロッコファン（送風手段）、２９は上部通風路、３０は下部通風路、３１は前部通風路、３２は上部噴射口（通風口）、３３は下部噴射口（通風口）、３４は前部噴射口（通風口）、３５は前部噴射ユニット、３７は傾斜面部（整流手段）である。
【図１】
2007175367.tif 000003
【図２】
2007175367.tif 000004
【図３】
2007175367.tif 000005
【図４】
2007175367.tif 000006
【図５】
2007175367.tif 000007
【図６】
2007175367.tif 000008
【図７】
2007175367.tif 000009
【図８】
2007175367.tif 000010
【図９】
2007175367.tif 000011